(57)【要約】記載される実施形態は、概して、検出されたデバイスリスト内の各デバイスの受信信号強度表示（ＲＳＳＩ）に従って、検出されたデバイスリストを順序付けるために、少なくともモバイルデバイスを含む、方法、システム、および計算デバイスに関する。したがって、検出されたデバイスリストは、リストの一番上に、最高ＲＳＳＩを有するデバイスを有し、検出されたデバイスリスト内の残りのデバイスは、ＲＳＳＩの降順で提示されている。
2010523023.tif 000002
【特許請求の範囲】
【請求項１】
無線パーソナルエリアネットワーク（ＷＰＡＮ）内で検出されたデバイスのリストを順序付ける方法であって、
第１のデバイスにおいて、該ＷＰＡＮ内のそれぞれのデバイスから複数の無線デバイス信号を受信することと、
該無線デバイス信号のそれぞれの受信信号強度を決定することと、
該第１のデバイスのディスプレイ上に、該無線デバイス信号が受信されたデバイスに対応するデバイスのリストを表示することであって、該リスト内のデバイスは、該それぞれのデバイスの無線デバイス信号の該受信信号強度に従って順序付けられる、ことと
を含む、方法。
【請求項２】
前記複数の無線デバイス信号は、前記第１のデバイスから送信されるページ信号に応答して受信される、請求項１に記載の方法。
【請求項３】
前記第１のデバイスは、該第１のデバイス上で、前記複数のデバイスのうちの１つを接続デバイスリストに追加することの選択に応答して、前記ページ信号を送信する、請求項２に記載の方法。
【請求項４】
前記複数のデバイスに対して全てのデバイス名が受信されるまでか、または該デバイス名を要求することをキャンセルする選択がされるまで、前記第１のデバイスによって、前記リストの一番上から該リストの最後まで順に、該リスト内の各デバイス名を要求することをさらに含み、それぞれのデバイス名が該第１のデバイスによって受信されると、該デバイス名は、前記ディスプレイ上のリスト内に表示される、請求項１から請求項３のいずれか１項に記載の方法。
【請求項５】
前記選択は、デバイスの前記リスト内の名前付きデバイスを選択することを含む、請求項４に記載の方法。
【請求項６】
前記選択に応答して、前記第１のデバイスと前記名前付きデバイスとの間のデバイス接続を開始することをさらに含む、請求項５に記載の方法。
【請求項７】
前記それぞれの無線デバイス信号に基づいて、前記複数のデバイスのそれぞれのデバイス識別子およびデバイスクラスを決定することをさらに含む、請求項１から請求項６のいずれか１項に記載の方法。
【請求項８】
同一の受信信号強度を有する前記リスト内のデバイスに対して、そのようなデバイスは、そのような各デバイスのデバイスクラスに従って、該リスト内で順序付けられる、請求項７に記載の方法。
【請求項９】
前記リスト内の各デバイスに対するアイコンを表示することをさらに含み、該アイコンは、前記それぞれのデバイスのデバイスクラスに対応する、請求項７または請求項８に記載の方法。
【請求項１０】
前記第１のデバイスはモバイルデバイスである、請求項１から請求項９のいずれか１項に記載の方法。
【請求項１１】
前記第１のデバイスはパーソナルコンピュータである、請求項１から請求項９のいずれか１項に記載の方法。
【請求項１２】
前記ＷＰＡＮの通信技術は、Ｂｌｕｅｔｏｏｔｈ（登録商標）、ＺｉｇＢｅｅ（登録商標）、無線ユニバーサルシリアルバス（ＷＵＳＢ）、超広帯域（ＵＷＢ）およびＩＥＥＥ８０２．１５．４準拠技術から成る群から選択される、請求項１から請求項１１のいずれか１項に記載の方法。
【請求項１３】
無線パーソナルエリアネットワーク（ＷＰＡＮ）内で検出されたデバイスのリストを順序付けるためのデバイスであって、該デバイスは、
プロセッサと、
該プロセッサに応答するディスプレイと、
該デバイスと該ＷＰＡＮ内の複数の他のデバイスとの間の通信を有効化するために、該プロセッサに連結される短距離通信サブシステムと、
該プロセッサによって実行可能なプログラムコードを格納するメモリであって、該プログラムコードは、該プロセッサによって実行されると、該プロセッサに、該短距離通信サブシステムによって、該複数の他のデバイスのそれぞれのデバイスから受信される複数の無線デバイス信号のそれぞれの受信信号強度を決定させることと、該ディスプレイに、該他のデバイスのリストを表示させることとを行わせるＷＰＡＮ管理モジュールを備え、該他のデバイスは、該他のそれぞれのデバイスの無線デバイス信号の該受信信号強度に従って、該リスト内で順序付けられる、メモリと
を備える、デバイス。
【請求項１４】
前記プロセッサは、前記短距離通信サブシステムを制御し、ページ信号を前記他のデバイスに送信するように構成され、前記複数の無線デバイス信号は、該ページ信号に応答して受信される、請求項１３に記載のデバイス。
【請求項１５】
前記ページ信号は、前記ディスプレイ上に表示される「デバイス追加」オプションの選択に応答して送信される、請求項１４に記載のデバイス。
【請求項１６】
前記ＷＰＡＮ管理モジュールは、前記プロセッサによって実行されると、該プロセッサに、前記他のデバイス名の全てが受信されるまでか、または前記要求をキャンセルする選択がされるまで、前記リストの一番上から該リストの最後まで順に、該リスト内の他の各デバイス名を要求させ、他の個別のデバイス名が受信されると、該他のデバイス名は、前記ディスプレイ上のリスト内に表示されるようにさらに構成される、請求項１３から請求項１５のいずれか１項に記載のデバイス。
【請求項１７】
前記選択は、デバイスの前記リスト内の名前付きデバイスを選択することを含む、請求項１６に記載のデバイス。
【請求項１８】
前記ＷＰＡＮ管理モジュールは、前記選択に応答して、前記第１のデバイスと前記名前付きデバイスとの間のデバイス接続を開始するように構成される、請求項１７に記載のデバイス。
【請求項１９】
前記ＷＰＡＮ管理モジュールは、さらに、前記プロセッサに、前記他のデバイスから受信した個別の無線デバイス信号に基づいて、該他のデバイスのそれぞれのデバイス識別子およびデバイスクラスを決定させる、請求項１３から請求項１８のいずれか１項に記載のデバイス。
【請求項２０】
同一の受信信号強度を有する前記リスト内のデバイスに対して、そのようなデバイスがそのような各デバイスのデバイスクラスに従って前記リスト内で順序付けられる、請求項１９に記載のデバイス。
【請求項２１】
前記ＷＰＡＮ管理モジュールは、前記リスト内の他の各デバイスに対してアイコンを前記ディスプレイ上に表示させるように構成され、該アイコンは、前記他の個別のデバイスのデバイスクラスに対応する、請求項１９または請求項２０に記載のデバイス。
【請求項２２】
前記デバイスはモバイルデバイスである、請求項１３から請求項２１のいずれか１項に記載のデバイス。
【請求項２３】
前記デバイスはパーソナルコンピュータである、請求項１３から請求項２１のいずれか１項に記載のデバイス。
【請求項２４】
前記ＷＰＡＮの通信技術は、Ｂｌｕｅｔｏｏｔｈ（登録商標）、ＺｉｇＢｅｅ（登録商標）、無線ユニバーサルシリアルバス（ＷＵＳＢ）、超広帯域（ＵＷＢ）およびＩＥＥＥ８０２．１５．４準拠技術から成る群から選択される、請求項１３から請求項２３のいずれか１項に記載のデバイス。
【請求項２５】
プロセッサによって実行されると、該プロセッサに、請求項１から請求項１２のいずれか１項に記載の方法を行わせるプログラム命令を格納するコンピュータ読み取り可能記憶装置。
【発明の詳細な説明】
【技術分野】
【０００１】
記載される実施形態は、検出されたデバイスリストに優先順位を付けるための方法、システム、およびモバイルデバイスに関する。特に、方法、システム、およびモバイルデバイスは、無線パーソナルエリアネットワーク（ＷＰＡＮ）内のデバイスから受信した信号の受信信号強度に基づいて、検出されたデバイスリスト内で優先順位を付けられる。
【背景技術】
【０００２】
ＷＰＡＮ技術を採用する計算デバイスの場合、ローカルエリア内の他のデバイスと通信可能であるが、但し、そのようなデバイスは、同様に、ＷＰＡＮ通信用に有効化される。デバイスがＷＰＡＮ内で互いに通信するためには、互いを認識するように、デバイス間の接続を形成することが必要である。
【０００３】
ＷＰＡＮ環境内の通信用に有効化される多くの異なる種々のデバイスが存在する。そのようなデバイスのいくつかは、ＷＰＡＮ内の別のデバイスとの接続の形成を開始可能であるために十分に高度である一方、他のデバイスはそうではない。接続の形成を開始可能なデバイスは、概して、接続が形成されたデバイスのリストを維持するであろう。新しいデバイスを接続デバイスのリストに追加するためには、ＷＰＡＮエリアを検索し、全「検出可能」デバイス、すなわち、検索デバイスがＷＰＡＮ内の通信用に接続可能なデバイスを見つけることが必要である。密集したＷＰＡＮでは、多数のデバイスが、検索の際に検出され得る。既存のＷＰＡＮ技術では、検出可能デバイスの検索時、ユーザが、検索デバイスと接続するために、１つのデバイスを選択可能であるように、検索デバイスは、検出された全デバイスのリストをユーザに提示するであろう。ユーザに提示されるリストは、応答が受信された時間に従って、順序付けられ、検索に最初に応答したデバイスが、検出されたデバイスのリスト内の最初にリストアップされる。
【０００４】
ＷＰＡＮエリア内の全検出可能デバイスが検索に応答し、検出されたデバイスリスト内にリストアップされると、検索デバイスは、次いで、順に、各デバイスと通信し、デバイスの「フレンドリ名」を決定する。デバイスのフレンドリ名は、「Ｆｒｅｄのラップトップコンピュータ」、「Ｓａｒａｈのヘッドセット」、または「Ｊａｃｋの携帯電話」等、ユーザによって、そのデバイスに与えられる名前であってもよい。デバイスのフレンドリ名は、多くのリストアップされた中のどのデバイスが、ユーザが自分のデバイスと接続を所望するものであるかを認識することが可能な唯一の方法である場合が多い。各デバイスのフレンドリ名の取得は、数秒かかる可能性があり、したがって、ユーザが、接続の形成を開始する正確なデバイスを選択可能なように、フレンドリ名すべてを読み出すためには、ある程度時間がかかり得る。
【０００５】
記載される実施形態は、既存のＷＰＡＮ技術に付随する１つ以上の欠点または不利点を解決あるいは改善する、もしくは少なくともそれに対し有用な代替案を提供しようとするものである。
【発明の概要】
【課題を解決するための手段】
【０００６】
本明細書に記載される実施形態は、概して、検出されたデバイスリスト内の各デバイスの受信信号強度表示（ＲＳＳＩ）に従って、検出されたデバイスリストに優先順序を付けるために、少なくともモバイルデバイスを含む、方法、システム、および計算デバイスに関する。したがって、検出されたデバイスリストは、リストの一番上に、最高ＲＳＳＩを有するデバイスを有し、検出されたデバイスリスト内の残りのデバイスは、ＲＳＳＩの降順で提示される。
【０００７】
本明細書に記載される実施形態は、検出されたデバイスリストを表示するデバイスが、ＷＰＡＮエリア内で検出されたデバイスの検索を開始し、そのような検出されたデバイスの１つとの接続の形成を開始するように構成されることを想定する。説明および例証の便宜上、他のデバイスを検索し、対となるように構成されるデバイスを検索デバイスと称する。さらに、検索デバイスの一実施例として、モバイルデバイスである検索デバイスと関連させて適用される実施形態を記載するが、検索デバイスは、ラップトップコンピュータまたはデスクトップコンピュータ等、検出されたデバイスを検索し、そのようなデバイスの１つとの接続の形成を開始可能な、任意の他の好適な計算デバイスであってもよい。
【０００８】
ある実施形態は、第１のデバイスにおいて、ＷＰＡＮ内の個別のデバイスからの複数の無線デバイス信号を受信するステップと、無線デバイス信号のそれぞれの受信信号強度を決定するステップと、第１のデバイスのディスプレイ上に、無線デバイス信号が受信されるデバイスに対応するデバイスのリストを表示するステップであって、リスト内のデバイスは、個別のデバイスの無線デバイス信号の受信信号強度に従って順序付けられる、ステップと、を含む、無線パーソナルエリアネットワーク（ＷＰＡＮ）内で検出されたデバイスのリストを順序付ける方法に関する。
【０００９】
無線デバイス信号は、第１のデバイスから送信されるページ信号に応答して、受信されてもよい。第１のデバイスは、第１のデバイス上で、複数のデバイスのうちの１つを接続デバイスリストに追加することの選択に応答して、ページ信号を送信してもよい。
【００１０】
方法は、複数のデバイスに対し、全デバイス名が受信されるまで、またはデバイス名を要求するステップをキャンセルする選択がされるまで、第１のデバイスによって、リストの一番上からリストの最後まで順に、リスト内の各デバイス名を要求するステップをさらに備え、個別のデバイス名が第１のデバイスによって受信されると、デバイス名は、ディスプレイ上のリスト内に表示されてもよい。選択は、デバイスのリスト内の名前付きデバイスを選択するステップを含み得る。方法は、選択に応答して、第１のデバイスと名前付きデバイスとの間のデバイス接続を開始するステップをさらに含み得る。
【００１１】
方法は、個別の無線デバイス信号に基づいて、複数のデバイスのそれぞれのデバイス識別子およびデバイスクラスを決定するステップをさらに含み得る。同一受信信号強度を有するリスト内のデバイスの場合、そのようなデバイスは、そのような各デバイスのデバイスクラスに従って、リスト内で順序付けられてもよい。リスト内の各デバイス用のアイコンが表示されてもよく、アイコンは、個別のデバイスのデバイスクラスに対応する。
【００１２】
第１のデバイスは、モバイルデバイスまたはパーソナルコンピュータであってもよい。ＷＰＡＮの通信技術は、Ｂｌｕｅｔｏｏｔｈ（登録商標）、ＺｉｇＢｅｅ（登録商標）、無線ユニバーサルシリアルバス（ＷＵＳＢ）、超広帯域（ＵＷＢ）、およびＩＥＥＥ８０２．１５．４準拠技術から成る群から選択されてもよい。
【００１３】
他の実施形態は、無線パーソナルエリアネットワーク（ＷＰＡＮ）内で検出されたデバイスのリストを順序付けるためのデバイスを含んでもよい。デバイスは、プロセッサと、プロセッサに応答するディスプレイと、デバイスとＷＰＡＮ内の複数の他のデバイスとの間の通信を有効化するために、プロセッサに連結される短距離通信サブシステムと、プロセッサによって実行可能なプログラムコードを格納するメモリと、を備える。プログラムコードは、プロセッサによって実行されると、プロセッサに、短距離通信サブシステムによって、複数の他のデバイスの個別のデバイスから受信される複数の無線デバイス信号のそれぞれの受信信号強度を決定させ、ディスプレイに他のデバイスのリストを表示させる、ＷＰＡＮ管理モジュールを備える。他のデバイスは、他の個別のデバイスの無線デバイス信号の受信信号強度に従って、リスト内で順序付けられる。
【００１４】
プロセッサは、短距離通信サブシステムを制御し、ページ信号を他のデバイスに送信するように構成され、複数の無線デバイス信号は、ページ信号に応答して、受信されてもよい。ページ信号は、ディスプレイ上に表示される「デバイス追加」オプションの選択に応答して、送信されてもよい。
【００１５】
ＷＰＡＮ管理モジュールは、プロセッサによって実行されると、プロセッサに、他のデバイス名がすべて受信されるまで、または要求をキャンセルする選択がされるまで、リストの一番上からリストの最後まで順に、リスト内の他の各デバイス名を要求させ、他の個別のデバイス名が受信されると、他のデバイス名は、ディスプレイ上のリスト内に表示されるようにさらに構成されてもよい。デバイス選択は、デバイスのリスト内の名前付きデバイスを選択するステップを含み得る。ＷＰＡＮ管理モジュールは、選択に応答して、第１のデバイスと名前付きデバイスとの間のデバイス接続を開始するようにされに構成されてもよい。
【００１６】
ＷＰＡＮ管理モジュールは、プロセッサに、他のデバイスから受信した個別の無線デバイス信号に基づいて、他のデバイスのそれぞれのデバイス識別子およびデバイスクラスをさらに決定させてもよい。同一受信信号強度を有するリスト内のデバイスの場合、そのようなデバイスは、そのような各デバイスのデバイスクラスに従って、リスト内で順序付けられる。ＷＰＡＮ管理モジュールは、リスト内の他の各デバイス用のアイコンをディスプレイ上に表示させるように構成されてもよく、アイコンは、他の個別のデバイスのデバイスクラスに対応する。
【００１７】
デバイスは、モバイルデバイスまたはパーソナルコンピュータであってもよい。ＷＰＡＮの通信技術は、Ｂｌｕｅｔｏｏｔｈ（登録商標）、ＺｉｇＢｅｅ（登録商標）、無線ユニバーサルシリアルバス（ＷＵＳＢ）、超広帯域（ＵＷＢ）、およびＩＥＥＥ８０２．１５．４準拠技術から成る群から選択されてもよい。
【００１８】
他の実施形態は、プロセッサによって実行されると、プロセッサに、無線パーソナルエリアネットワーク（ＷＰＡＮ）内で検出されたデバイスのリストを順序付ける方法を施行させる、プログラム命令を格納するコンピュータ読み取り可能記憶装置に関する。方法は、第１のデバイスにおいて、ＷＰＡＮ内の個別のデバイスからの複数の無線デバイス信号を受信するステップと、無線デバイス信号のそれぞれの受信信号強度を決定するステップと、第１のデバイスのディスプレイ上に、無線デバイス信号が受信されるデバイスに対応するデバイスのリストを表示するステップであって、リスト内のデバイスは、個別のデバイスの無線デバイス信号の受信信号強度に従って順序付けられる、ステップと、を含む。
【図面の簡単な説明】
【００１９】
実施形態の特徴および機能は、付随の図面を参照し、一例として、以下でさらに詳細に記載される。
【図１】図１は、ＷＰＡＮ環境内の他のデバイスと通信する、モバイルデバイスのブロック図である。
【図２】図２は、モバイルデバイスの例示的実施形態のブロック図である。
【図３】図３は、図２のモバイルデバイスの通信サブシステムの例示的実施形態のブロック図である。
【図４】図４は、図２のモバイルデバイスのある構成要素をさらに詳細に示す、ブロック図である。
【図５】図５は、検出されたデバイスリストを順序付ける方法の工程図である。
【図６】図６は、検出されたデバイスのリストのディスプレイの例示的スクリーンショットであって、検出されたデバイスは、名前が付けられていない。
【図７】図7は、検出されたデバイスのリストのディスプレイのさらなる例示的スクリーンショットであって、検出されたデバイスのいくつかは、名前が付けられている。
【発明を実施するための形態】
【００２０】
モバイルデバイスの全般的構造と、他のデバイスおよびホストシステムとの通信方法とのユーザの理解を支援するために、次に、図１-３を参照する。
【００２１】
図１は、無線パーソナルエリアネットワーク（ＷＰＡＮ）環境内の他のデバイスと通信する、モバイルデバイス１００の例証的ブロック図である。他のデバイスは、パーソナルコンピュータ（ＰＣ）１６５、スマートカード読取機１７０、１つ以上のコンピュータ周辺機器１７５、ヘッドセット１８０、メディアデバイス１８５、および他のデバイス１９０のうちの１つ以上を含んでもよい。
【００２２】
ＰＣ１６５は、例えば、デスクトップまたはラップトップコンピュータを備えてもよい。コンピュータ周辺機器１７５は、例えば、マウス、キーボード、ディスプレイ、およびプリンタ等の好適な無線対応周辺機器を含んでもよい。ヘッドセット１８０は、音声拾音装置およびスピーカを備える、好適なオーディオデバイスであってもよい。メディアデバイス１８５は、オーディオ、ビデオ、画像、またはテキストデータ等のメディアを記録および／または格納ならびに／あるいは表示／出力するための好適なデバイスであってもよい。メディアデバイス１８５の実施例は、デジタルカメラおよびデジタル音楽システムを含んでもよい。他のデバイス１９０は、モバイルデバイス１００と相互作用するための異なる機能または特徴を有する、種々の好適な無線対応デバイスを含んでもよい。例えば、他のデバイス１９０は、ユニバーサルシリアルバス（ＵＳＢ）アダプタを含んでもよい。デバイス１００および１６５から１９０のうちのいずれか２つ以上は、ＷＰＡＮ環境内に存在してもよい。
【００２３】
図１に描写されるブロック図では、モバイルデバイス１００およびデバイス１６５から１９０はすべて、モバイルデバイス１００の範囲内のＷＰＡＮエリア内に位置する。本明細書に記載される実施形態では、モバイルデバイス１００は、検索デバイスであって、デバイスによってサポートされる無線パーソナルネットワーク技術を使用して、デバイス１６５から１９０のうちのいずれかと無線通信するように構成される。そのような無線パーソナルネットワーク技術の実施例は、ＩＥＥＥ８０２．１５．４仕様に準拠する通信規格を含み、Ｂｌｕｅｔｏｏｔｈ（登録商標）、ＺｉｇＢｅｅ（登録商標）、無線ＵＳＢ（ＷＵＳＢ）、および超広帯域（ＵＷＢ）無線技術を含む。他の好適な無線パーソナルネットワーク技術は、必要に応じて、採用されてもよい。
【００２４】
ＷＰＡＮの典型的通信範囲は、検索デバイスから約１０メートルであるが、いくつかのデバイスは、より高い出力で送信し、より長い距離、例えば、最大約１００メートルを有することが可能であってもよい。
【００２５】
図２を参照すると、モバイルデバイス１００の例示的実施形態のブロック図が示される。モバイルデバイス１００は、モバイルデバイス１００の動作全体を制御するメインプロセッサ１０２等のいくつかの構成要素を含む。データを含む、広域またはローカルエリアネットワークとの通信、代替実施形態では、音声通信は、長距離通信サブシステム１０４を通して行なわれる。長距離通信サブシステム１０４は、拡張無線ネットワーク２００からメッセージを受信し、そこにメッセージを送信することができる。モバイルデバイス１００の本例示的実施形態では、通信サブシステム１０４は、ＩＥＥＥ８０２．１１規格に従って構成可能である。故に、通信サブシステム１０４を無線ネットワーク２００と接続する無線リンクは、１つ以上の異なる無線周波数（ＲＦ）チャネルを表し、ＩＥＥＥ８０２．１１通信専用の規定プロトコルに従って動作する。当業者は、拡張無線ネットワーク２００の種々の実装に精通している。
【００２６】
また、メインプロセッサ１０２は、ランダムアクセスメモリ（ＲＡＭ）１０６、フラッシュメモリ１０８、ディスプレイ１１０、補助入力／出力（Ｉ／Ｏ）サブシステム１１２、データポート１１４、キーボード１１６、スピーカ１１８、マイクロホン１２０、短距離通信サブシステム１２２、および他のデバイスサブシステム１１４等の付加的サブシステムと相互作用する。モバイルデバイス１００は、バッテリ駆動であって、当業者によって一般的に知られているように、１つ以上のバッテリ１３０およびバッテリインターフェース１３２等の対応する構成要素を含み得る。
【００２７】
モバイルデバイス１００のサブシステムのいくつかは、通信関連機能を施行する一方、他のサブシステムは、「常駐」またはオンデバイス機能を提供してもよい。一例として、ディスプレイ１１０およびキーボード１１６は、拡張無線ネットワーク２００を介した伝送のためのテキストメッセージの入力等の通信関連機能、および計算機またはタスクリスト等のデバイス常駐機能の両方のために使用されてもよい。
【００２８】
補助Ｉ／Ｏサブシステム１１２は、タッチスクリーン、マウス、トラックボール、赤外線、容量性、または光学指紋検出器、あるいは多方向アクチュエータ（ナビゲーション構成要素）、例えば、動的ボタン押下機能を備えたトラックボール、ジョイスティック、方向パッド、またはローラホイール等の１つ以上の構成要素を含んでもよい。キーボード１１６は、好ましくは、英数字キーボードおよび／または電話型キーパッドである。しかしながら、他の種類のキーボードを使用してもよい。多方向アクチュエータのボタン押下機能は、ディスプレイ１１０上にハイライトまたは強調されるアイテムの選択をもたすために使用されてもよい。
【００２９】
モバイルデバイス１００は、必要とされるネットワーク登録または起動手順完了後、拡張無線ネットワーク２００を介して、通信信号を送受信可能である。ネットワークアクセスは、加入者識別モジュールまたはリムーバブルユーザインターフェースモジュール等を使用して、当業者によって一般的に知られるように、モバイルデバイス１００、もしくはモバイルデバイス１００の加入者あるいはユーザ用の一意の識別子と関連付けられる。厳格なＩＥＥＥ８０２．１１通信の場合、この一意の識別子は、ＷＬＡＮ無線通信の媒体アクセスコントローラ（ＭＡＣ）アドレスとして現れ、当業者によって知られているように、無線ネットワーク２００との全通信を保証するために、セキュリティ証明書を伴う付加的ネットワークハンドシェイキングが必要とされ得る。
【００３０】
モバイルデバイス１００は、バッテリ駆動デバイスである。少なくともいくつかの実施形態では、バッテリ１３０は、内蔵マイクロプロセッサを備える、スマートバッテリであり得る。バッテリインターフェース１３２は、レギュレータ（図示せず）に連結され、電力Ｖ＋をモバイルデバイス１００に提供する際、バッテリ１３０を支援する。現在の技術は、バッテリを利用するが、マイクロ燃料電池等の将来的技術が、モバイルデバイス１００に電力を提供してもよい。
【００３１】
また、モバイルデバイス１００は、メインプロセッサ１０２によって実行される種々のアプリケーションのためのソフトウェアプログラムとともに、オペレーティングシステムを含む。オペレーティングシステムおよびソフトウェアプログラムは、読み出し専用メモリ（ＲＯＭ）または類似記憶装置要素（図示せず）の代替形態であってもよい、フラッシュメモリ１０８等の永続的記憶装置内に格納される。オペレーティングシステムの一部および他のソフトウェア構成要素、例えば、専用デバイスアプリケーションまたはその一部は、ＲＡＭ１０６等の揮発性記憶装置内に一時的にロードされてもよい。また、他のソフトウェア構成要素は、モバイルデバイス１００の機能要件に適合するために、フラッシュメモリ１０８内に格納可能である。そのようなソフトウェア構成要素は、例えば、電子メッセージ、アドレスブック、パーソナル情報マネージャ、デバイス状態モジュール、および他の好適なプログラムを送受信するためのメッセージアプリケーションを含んでもよい。
【００３２】
付加的ソフトウェア構成要素は、拡張無線ネットワーク２００、補助Ｉ／Ｏサブシステム１１２、データポート１１４、短距離通信サブシステム１２２、または任意の他の好適なデバイスサブシステム１２４のうちの少なくとも１つを通して、モバイルデバイス１００上にロード可能である。ソフトウェアアプリケーションのインストールにおけるこのような柔軟性は、モバイルデバイス１００の機能性を増進させ、高度なオンデバイス機能、通信関連機能、または両方を提供し得る。例えば、セキュア通信アプリケーションは、電子商取引機能および他のそのような金融取引を、モバイルデバイス１００を使用して施行させてもよい。
【００３３】
データポート１１４は、外部デバイスまたはソフトウェアアプリケーションを通して、加入者に環境設定を行なわせ、無線通信ネットワーク以外を通して、モバイルデバイス１００に情報またはソフトウェアダウンロードを提供することによって、モバイルデバイス１００の機能を拡張する。代替ダウンロード経路を使用して、例えば、直接、したがって、確実かつ信頼性のある接続を通して、暗号化キーをモバイルデバイス１００上にロードし、セキュアデバイス通信を提供してもよい。
【００３４】
データポート１１４は、モバイルデバイス１００と別の計算デバイスとの間のデータ通信を有効化する、任意の好適なポートであり得る。データポート１１４は、シリアルまたはパラレルポートであり得る。いくつかの事例では、データポート１１４は、データ転送のためのデータラインと、モバイルデバイス１００のバッテリ（図示せず）を充電するための充電電流を提供可能な供給ラインとを含む、ＵＳＢポートであり得る。
【００３５】
短距離通信サブシステム１２２は、拡張無線ネットワーク２００を使用せずに、モバイルデバイス１００と、パーソナル無線ネットワーク２５０等の指定群内の異なるシステムまたはデバイスとの間の通信を提供する。例えば、パーソナル無線ネットワーク２５０は、ＷＰＡＮとして具現化されてもよい。ある場合には、短距離サブシステム１２２は、例えば、Ｂｌｕｅｔｏｏｔｈ（登録商標）無線通信、ＺｉｇＢｅｅ（登録商標）デバイス、無線ＵＳＢデバイス、または超広帯域（ＵＷＢ）無線通信を含み得る。短距離通信規格の実施例は、赤外線通信協会（ＩｒＤＡ）、Ｂｌｕｅｔｏｏｔｈ（登録商標）、ＺｉｇＢｅｅ（登録商標）、ＷＵＳＢ、ＵＷＢ、およびＩＥＥＥ８０２．１５規格を含む。
【００３６】
次に、図３を参照すると、短距離通信サブシステム構成要素１２２の例示的実施形態のブロック図が示される。短距離通信サブシステム１２２は、受信機１５０と、送信機１５２と、１つ以上の内蔵または内部アンテナ要素１５４および１５６等の付随構成要素と、局部発振器（ＬＯ）１５８と、デジタル信号プロセッサ（ＤＳＰ）１６０等の処理モジュールとを含む、ＷＰＡＮ無線通信を備える。短距離通信サブシステム１２２の特定の設計は、モバイルデバイス１００が動作するように意図される、パーソナル無線ネットワーク２５０に依存にする。したがって、図３に示される短距離通信サブシステム１２２の特徴および構成は、１つの可能な実施例としてのみ機能することを理解されたい。
【００３７】
無線ネットワーク２５０を通して、アンテナ１５４によって受信される信号は、受信機１５０に入力され、信号増幅、周波数下方変換、フィルタリング、チャネル選択、アナログ／デジタル（Ａ／Ｄ）変換等のそのような一般的受信機機能を施行し得る。受信信号のＡ／Ｄ変換は、ＤＳＰ１６０内で施行される復調および復号化等、より複雑な通信機能を可能にする。同様に、送信される信号は、ＤＳＰ１６０によって、変調および符号化を含み、処理される。これらのＤＳＰ処理信号は、アンテナ１５６を経由して、無線パーソナルネットワーク２５０を介して、デジタル／アナログ（Ｄ／Ａ）変換、周波数上方変換、フィルタリング、増幅、および送信のために、送信機１５２に入力される。ＤＳＰ１６０は、通信信号を処理し、受信機および送信機制御を提供可能である。例えば、受信機１５０および送信機１５２内の通信信号に適用される増幅率は、ＤＳＰ１６０内に実装される自動増幅率制御アルゴリズムを通して、適応可能に制御されてもよい。
【００３８】
モバイルデバイス１００と無線パーソナルネットワーク２５０内のデバイス１６５から１９０との間の無線通信は、１つ以上の異なるチャネル、典型的には、異なるＲＦチャネルを介して、施行されてもよい。ＷＰＡＮ用の既知の通信プロトコルは、モバイルデバイス１００と無線パーソナルネットワーク２５０内のデバイス１６５から１９０との間の通信のために使用される。ＲＦチャネルは、典型的には、全帯域の制限およびモバイルデバイス１００の限られたバッテリ電力のため、節約されなければならない有限資源である。
【００３９】
モバイルデバイス１００が完全に稼働している場合、送信機１５２は、典型的には、無線パーソナルネットワーク２５０に送信している時のみアクセスまたはオンにされ、そうでなければ、資源を節約するためにオフにされる。同様に、受信機１５０は、指定時間周期の際、信号または情報（該当する場合）を受信する必要があるまで、電力節約のために、定期的にオフにされる。
【００４０】
次に、図４を参照すると、モバイルデバイス１００のある構成要素が示され、さらに詳細に記載される。特に、フラッシュメモリ１０８は、実行可能プログラムコードとして格納される、ＷＰＡＮ管理モジュール４１０およびユーザインターフェースモジュール４２０を備えるように示される。ＷＰＡＮ管理モジュール４１０およびユーザインターフェースモジュール４２０の機能は、フラッシュメモリ１０８内の関連格納プログラムコードを実行するメインプロセッサ１０２によって、施行される。フラッシュメモリ１０８は、オペレーティングシステムソフトウェアおよび他のソフトウェアアプリケーション等の種々の他のプログラムコードを備えるが、これらは、例証の簡潔性を目的として、具体的には示されていない。
【００４１】
例証の目的のためだけに、ＷＰＡＮ管理モジュール４１０は、無線パーソナルネットワーク技術の一実施例として、Ｂｌｕｅｔｏｏｔｈ（登録商標）ＷＰＡＮネットワーク技術と関連させて、本明細書では記載される。ＷＰＡＮ管理モジュール４１０は、ディスプレイ１１０上のユーザインターフェースモジュール４２０によって提供されるオプションに従って、ユーザによって有効化または無効化可能なアプリケーションである。有効化されると、ＷＰＡＮ管理モジュール４１０は、主に、バックグラウンドで稼働し、モバイルデバイス１００が他のデバイスと既に接続されている（対となる）場合、自動的に、範囲内であると、ＷＰＡＮエリア内のそのデバイスと通信する。しかしながら、ユーザが、モバイルデバイス１００をまだ対を成していないデバイスと通信させることを所望する場合、ユーザは、ユーザインターフェースモジュール４２０によって、ディスプレイ１１０上に表示されるＷＰＡＮ管理ホーム画面６１０（図６）内から、「デバイス追加」オプションを選択可能である。「デバイス追加」オプションは、モバイルデバイス１００が既に対となるデバイスのための接続された（対となる）デバイスリストを表示する画面から利用可能であってもよい。
【００４２】
ユーザが「デバイス追加」オプションを選択する場合、モバイルデバイス１００は、短距離通信サブシステム１２２に、ＷＰＡＮエリア内の他のデバイスによって受信可能なページ信号を送信させるであろう。エリア内の全デバイスがページ信号に応答すると、図６に示されるように、降順ＲＳＳＩ値に従ってソートされ、検出されたデバイスのリスト６４０内に表示されるであろう。
【００４３】
ページ信号に応答して、ＷＰＡＮエリア内のデバイスから受信される応答は、応答デバイスのＭＡＣアドレス（デバイスの一意の識別子）およびデバイスクラスを備える。また、ＷＰＡＮ管理モジュール４１０は、短距離通信サブシステム１２２に、そのような各応答の受信信号強度表示（ＲＳＳＩ）を決定させ、受信した応答信号からのそのような全情報をＷＰＡＮ管理モジュール４１０に提供させる。ＷＰＡＮエリア内の個別のデバイスから受信した各無線信号のＲＳＳＩを比較することによって、ＷＰＡＮ管理モジュール４１０は、受信信号の相対的強度（すなわち、ＲＳＳＩ値）に従って、検出されたデバイスのリストをソートし、順序付ける。したがって、ＷＰＡＮエリア内のデバイスは、最高ＲＳＳＩから最低ＲＳＳＩまで降順に、検出されたデバイスリスト６４０内にリストアップされるであろう。
【００４４】
検索デバイスに近接近するデバイスは、ユーザがモバイルデバイス１００と対となるように所望するデバイスである可能性が高いと仮定すると、ＲＳＳＩによって検出されたデバイスリスト６４０を順序付けるステップは、モバイルデバイス１００に最も近い可能性のあるデバイスを検出されたデバイスリスト６４０の一番上に位置付ける。ＲＳＳＩは、近接性の正確な指標ではないが、少なくとも、ＲＳＳＩと近接性との間の良好な相関が存在する。ＷＰＡＮエリア内のデバイスがすべて、類似通信範囲を有する場合、そのようなデバイスからの受信信号のＲＳＳＩは、概して、近接性の信頼性のある指標となるであろう。
【００４５】
また、ＷＰＡＮ管理モジュール４１０は、短距離通信サブシステム１２２を含む、ユーザインターフェースモジュール４２０とデバイス１００の無線通信フレームワークとの間のインターフェースを処理する。加えて、ＷＰＡＮ管理モジュール４１０は、ユーザインターフェースモジュール４２０と協働し、状態情報をユーザに表示し、ディスプレイ１１０上に提供されるグラフィカル要素に関連して、ユーザから受信される入力を解釈する。図６および７は、ＷＰＡＮ管理モジュール４１０から受信される情報および／または関数呼出しに基づいて、ユーザインターフェースモジュール４２０によって生成されるディスプレイ１１０の例示的スクリーンショットを示す。ＷＰＡＮ管理モジュール４１０の機能およびその特徴は、図５から７を参照して、以下にさらに詳述される。
【００４６】
図４に示されるメインプロセッサ１０２、ディスプレイ１１０、補助Ｉ／Ｏ１１２、および短距離通信サブシステム１２２は、図２および図３に関連して上述のように、同一特徴および機能を有する。選択入力およびナビゲーション入力を含む、ユーザ入力は、補助Ｉ／Ｏ１１２の適切な構成要素を介して、受信されてもよい。
【００４７】
次に、図５を参照すると、検出されたデバイスリストを順序付ける方法５００が示される。方法５００は、ステップ５０５から開始し、ユーザは、対となるデバイスリストにデバイスを追加するオプションを選択する。対となるデバイスリストは、フラッシュメモリ１０８または別の永続的記憶装置内に保存され、ＷＰＡＮ管理モジュール４１０に対し利用可能となる。ステップ５０５での「デバイス追加」オプションの選択に応答して、ステップ５１０において、メインプロセッサ１０２は、短距離通信サブシステム１２２に、ＷＰＡＮエリア内の他のデバイスに、汎用ページ信号を送信させる。本ページ信号は、ＩＥＥＥ８０２．１５．４規格に基づいて指定される標準信号である。本質的に、ページ信号は、検索デバイスに応答し、その存在を認知させるためのエリア内の各デバイスへの招待である。
【００４８】
ステップ５１５では、モバイルデバイス１００は、短距離通信サブシステム１２２において、デバイス１６５から１９０のうちの１つ以上からの戻り信号を受信する。この時点で受信された戻り信号は、通常、ページ信号に応答するデバイスに関する情報を含むであろう。そのような情報は、通常、戻り信号を提供するデバイスのＭＡＣアドレスおよびクラスを含むであろう。ステップ５２０では、ＷＰＡＮ管理モジュール４１０は、短距離通信サブシステム１２２と協働し、各受信した戻り信号からＭＡＣアドレスおよびデバイスクラスを決定する。加えて、短距離通信サブシステム１２２は、受信信号強度を測定して、各受信した戻り信号のＲＳＳＩを決定し、ＲＳＳＩ値をＷＰＡＮ管理モジュール４１０に提供する。
【００４９】
各戻り信号がＷＰＡＮエリア内のデバイスから受信されると、ステップ５２０は、戻り信号のＭＡＣアドレス、デバイスクラス、およびＲＳＳＩを決定するように施行される。
【００５０】
ステップ５１５から５２５は、ページ信号に応答して、デバイス１６５から１９０のうちの１つから受信した各戻り信号に関連して施行される。したがって、ステップ５３０において、モバイルデバイス１００が、さらなるデバイスから戻り信号を継続して受信する間、新しく受信した戻り信号に対し、ステップ５１５から５２５が繰り返される。ステップ５２５において、例えば、所定の時間待機し、次いで、戻り信号がその時間内に受信されないかどうかを結論づけることによって、ＷＰＡＮ管理モジュール４１０がさらなる戻り信号が受信されないと決定すると、そのような信号は送信されないであろう。
【００５１】
ステップ５３０では、戻り信号が受信されるデバイスは、ディスプレイ１１０上の検出されたデバイスリスト６４０内の「検出されたデバイス」として表示される。検出されたデバイスリスト６４０を表示する前に、ＷＰＡＮ管理モジュール４１０は、最高受信信号強度を有するデバイスが、検出されたデバイスリスト６４０の一番上にリストアップされ、残りのデバイスは、受信信号強度の降順に表示されるように、受信信号強度（すなわち、ＲＳＳＩ値）に従って、リスト内のデバイスをソートする。
【００５２】
ステップ５３０において、検出されたデバイスリスト６４０が表示されると、次いで、ステップ５３５では、ＷＰＡＮ管理モジュール４１０は、短距離通信システム１２２に、ステップ５３５において、デバイスの「フレンドリ名」を提供する要求を検出されたデバイスリスト内のデバイスのそれぞれに送信するように命令する。
【００５３】
代替実施形態では、各戻り信号が検出されたデバイスから受信されると、検出されたデバイスリスト６４０が、表示および更新されてもよく、リストの順序は、必要に応じて、ＷＰＡＮ管理モジュール４１０によって再ソートされ、各新しく検出されたデバイスは、検出されたデバイスリスト６４０内の適切な位置に位置付けられる。
【００５４】
モバイルデバイス１００が、別のデバイスのフレンドリ名を取得するためには、そのデバイスとの接続を確立する必要があり、各デバイスに対し数秒かかる場合がある。検出されたデバイスリスト６４０内の第１のデバイスを初めとして、ＷＰＡＮ管理モジュール４１０は、短距離通信サブシステム１２２に、検出されたデバイスリスト内の各デバイスのフレンドリ名を要求させる。多くのデバイスを有する検出されたデバイスリストの場合、ある程度の時間がかかり得る。したがって、ユーザは、検出されたデバイスリスト内の全デバイスの全フレンドリ名の読み出しの完了の前に、対となる名前付きデバイスのうちの１つを選択し、それによって、すべての名前が読み出されるのを待機する必要なく、フレンドリ名の読み出しを中断してもよい。故に、ステップ５４０において、ユーザが、対となる検出されたデバイスリスト６４０内のデバイスのうちの１つを選択する場合、ステップ５４５では、ＷＰＡＮ管理モジュール４１０は、選択されたデバイスとの対合を開始する。同時に、ＷＰＡＮ管理モジュール４１０は、短距離通信サブシステム１２２に対し、検出されたデバイスリスト６４０内の残りのデバイスの任意のさらなるフレンドリ名を読み出し命令を停止する。
【００５５】
ステップ５４０において、対となるデバイスを選択するためのユーザ入力が受信されない場合、ステップ５５０では、ＷＰＡＮ管理モジュール４１０は、検出されたデバイスリスト６４０内の任意のデバイスが、読み出されるフレンドリ名を有していないかどうかを確認する。全フレンドリ名が読み出された場合、ステップ５５５において、ＷＰＡＮ管理モジュール４１０は、フレンドリ名の要求を停止する。ステップ５５０において、１つ以上の名前が付いていないデバイス（すなわち、フレンドリ名が読み出されていないデバイス）が、検出されたデバイスリスト６４０、内に残っている場合、ステップ５３５は、そのようなデバイスに対しフレンドリ名を取得するよう繰り返される。フレンドリ名が、検出されたデバイスリスト６４０内のデバイスから読み出し不可能な場合、デバイスクラスに対応する記述子（例えば、「オーディオデバイス」または「コンピュータ」）が、関連デバイスに対する代替フレンドリ名として使用されてもよい。
【００５６】
いくつかの実施形態では、ステップ５１５において、デバイスのフレンドリ名が、戻り信号とともに受信されてもよい。そのような実施形態では、ステップ５３０において、フレンドリ名が、検出されたデバイスリスト６４０内の各デバイスに対し表示される。さらに、そのような実施形態では、ステップ５３５、５５０、および５５５は、不必要であるため、施行されない。
【００５７】
次に、図６および７を参照すると、検出されたデバイスリスト６４０を表示する、検出されたデバイスウィンドウ６３０が示される、例示的スクリーンショットが示されている。図６および７は、検出されたデバイスウィンドウ６３０が表示される、ＷＰＡＮ管理ホーム画面６１０を示す。ＷＰＡＮ管理ホーム画面６１０は、タイトルバー６１５を備え、また、ＷＰＡＮ通信の有効化状態を示す。示される実施例では、タイトルバー６１５には、「Ｂｌｕｅｔｏｏｔｈ：Ｅｎａｂｌｅｄ」と示されている。また、ＷＰＡＮ管理ホーム画面６１０内には、対となるデバイスリスト６２０が示され、モバイルデバイス１００との対合が既に完了している１つ以上のデバイスがリストアップされている。図６および７に示される実施例では、対となるデバイスリスト６２０は、リスト内に空アイテムを有する。
【００５８】
検出されたデバイスウィンドウ６３０は、ＷＰＡＮ管理ホーム画面６１０を閲覧しながら生成可能なメニューアイテムとして選択可能である、「デバイス追加」オプションの選択に応答して表示される。検出されたデバイスウィンドウ６３０は、ウィンドウ６３０の一番手前かつ検出されたデバイスリスト６４０の上方に位置する、命令テキスト６３２を備える。示される実施例では、命令テキスト６３２は、「デバイスを選択」である。また、検出されたデバイスウィンドウ６３０は、「キャンセル」オプション６５０を含み、例えば、所望のデバイスが検出されたデバイスリスト６４０内に表示されない場合、ユーザは、対となるデバイスリスト６２０へのデバイスの追加をキャンセルすることができる。
【００５９】
いくつかの実施形態では（図示せず）、「デバイス追加」オプションが選択されると（但し、検出されたデバイスリスト６４０の表示前）、検出されたデバイスウィンドウ６３０は、検出可能デバイスの検索が施行される間に表示される。そのような実施形態では、検出されたデバイスウィンドウ６３０は、検索中に検出されたデバイス数の動作カウントと、例えば、１０秒の検索時間を通して、進捗状態を示すプログレスバーとを示す。ＷＰＡＮ管理モジュール４１０が検出されたデバイスリスト６４０をコンパイルする間（その表示前）、命令テキスト６３２は、「デバイスの検索」であってもよい。また、「キャンセル」オプション６５０は、検出されたデバイスリスト６４０の表示前に選択され、検出可能デバイスの検索をキャンセルしてもよい。そのように選択される場合、検出されたデバイスリスト６４０は、「キャンセル」オプション６５０の選択前に検出されたデバイス（該当する場合）のみで表示されるであろう。デバイスが検出されない場合、ユーザは、その通知を受け、ＷＰＡＮ管理ホーム画面６１０に戻ってもよい。
【００６０】
図６に示されるように、検出されたデバイスリスト６４０は、第１のリストアイテム６４２と、第２のリストアイテム６４４と、第３のリストアイテム６４６とを備える。検出されたデバイスリスト６４０は、３つ以上または未満のリストアイテムを有してもよいが、例証目的のために、３つが示され、記載される。検出されたデバイスリスト６４０内の各リストアイテムは、検出されたデバイスウィンドウ６３０の別個の行に表示され、「オーディオデバイス」または「コンピュータ」等、関連リストアイテムによって示されるデバイスのクラスに対応する記述子を備える。また、各リストアイテムは、第１、第２、および第３のリストアイテム６４２、６４４、６４６のそれぞれの記述子に隣接して表示される、記述子デバイスアイコン６７２、６７４、６７６を備える。デバイスアイコンは、デバイスのクラスによって定義されるように、デバイス記述子のグラフィック表示を備える。
【００６１】
図６に示される実施例の場合、第１のリストアイテム６４２は、オーディオデバイスのグラフィック描写であるデバイスアイコン６７２を示し、第１のリストアイテム６４２の記述子は、「オーディオデバイス」である。第２および第３のリストアイテム６４４、６４６は、両方ともＰＣデバイス１６５であるため、同一デバイスアイコン６７４、６７６および記述子「コンピュータ」を表示する。第１のリストアイテム６４２に対応する検出されたデバイスは、最高ＲＳＳＩ値を有しているため、デバイスリスト６４０の一番上に表示される。図６に示される実施例では、デバイスのフレンドリ名および検出されたデバイスリスト６４０は、まだ読み出されていない。
【００６２】
次に、同様に図７を参照すると、検出されたデバイスリスト６４０が示されており、フレンドリ名のうちの少なくともいくつかが読み出されている。検出されたデバイスリスト６４０内のデバイスのフレンドリ名が読み出されている場合、関連リストアイテムが更新され、記述子は読み出されたフレンドリ名に置き換えられる。したがって、図７に示されるように、第１のリストアイテム６４２は、現在、最新のリストアイテム７４２であって、同一クラス専用デバイスアイコン６７２を示すが、以前の記述子「オーディオデバイス」の代わりに、フレンドリ名として「ＢｌａｃｋＢｅｒｒｙ６５５」を示す。同様に、第２のリストアイテム６４４は、現在、最新の第２のリストアイテム７４４となり、クラス専用デバイスアイコン６７４と、以前の記述子「コンピュータ」の代わりに、フレンドリ名「ＳＷｉｌｓｏｎ-ＸＰ」とを含む。図７に示される実施例では、第３のリストアイテム６４６は、そのフレンドリ名がまだ読み出されておらず、したがって、まだ更新されていない。
【００６３】
図７に示される実施例では、「ＢｌａｃｋＢｅｒｒｙ６５５」と名付けられたデバイスは、最高ＲＳＳＩ値を有しており、したがって、検出されたデバイスリスト６４０の一番上に位置付けられる。故に、そのデバイスのＲＳＳＩ値は、検索デバイスに近接近し、したがって、ユーザがモバイルデバイス１００をデバイスと対合させることを所望する可能性が高いと仮定すると、そのデバイスは、フレンドリ名が最初に読み出される。
【００６４】
図６および７に示されるように、第１のリストアイテム６４２、７４２は、検出されたデバイスリスト６４０の一番上にあるため、他のリストアイテムに対し強調されるように、デフォルト設定によって示される。他のリストアイテムを強調するために、ユーザは、補助Ｉ／Ｏ１１２内に備えられ得るような、モバイルデバイス１００のナビゲーション構成要素を操作することができる。
【００６５】
検出されたデバイスリスト６４０が、検出されたデバイスの受信信号強度に従って順序付けられない場合、ユーザがモバイルデバイス１００と対合を所望するデバイスの前に、ページ信号に応答するデバイスは、応答信号の受信時間に従って順序付けられるため、検出されたデバイスリストの上の方に現れるであろう。これは、ユーザが、ユーザがモバイルデバイス１００と対合を所望するデバイスのフレンドリ名を読み出される前に、いくつかの他のデバイスのフレンドリ名を読み出されるのを待機しなければならないことを意味し得る。そのような待機時間は、ユーザをイライラさせ得る。
【００６６】
いくつかの実施形態は、Ｂｌｕｅｔｏｏｔｈ（登録商標）の仕様に従って、デバイス１６５から１９０のうちの１つ等の検出されたデバイスとモバイルデバイス１００を「対となる」させるステップを伴うように本明細書では記載されるが、他の無線パーソナルネットワーク技術の場合、他の形態のデバイス接続が形成され、そのようなデバイスを互いに通信可能にしてもよいことを理解されたい。
【００６７】
本説明では、同一参照番号は、本明細書に添付の図面間の同一特徴または要素を示すために使用される。
【００６８】
上述の説明は、対象となる実施形態の実施例を提供するが、記載される実施形態のいくつかの特徴および／または機能は、記載される実施形態の精神および作用原則から逸脱することなく、修正を受け得ることを理解されるであろう。故に、上述は、本発明の例証であって、非制限的であることが意図される。
【図１】
2010523023.tif 000003
【図２】
2010523023.tif 000004
【図３】
2010523023.tif 000005
【図４】
2010523023.tif 000006
【図５】
2010523023.tif 000007
【図６】
2010523023.tif 000008
【図７】
2010523023.tif 000009
【国際調査報告】
2010523023.tif 000010
2010523023.tif 000011
2010523023.tif 000012